(57)【要約】      （修正有）【課題】搬送ベルトの汚れを効果的に除去し、高品質な印刷を行うことができる印刷方法および印刷装置を提供する。【解決手段】記録媒体Ｗ上にインクジェット方式によりインクを吐出して捺染を施す印刷方法であって、記録媒体を搬送ベルト４２４で搬送する搬送工程と、記録媒体上にインクを吐出するインク吐出工程と、記録媒体および／または搬送ベルト上に、搬送ベルト表面を洗浄する洗浄液を、インクジェットヘッド５１１から吐出する洗浄液吐出工程と、を有する。洗浄液吐出工程において、記録媒体上のインクを吐出する描画領域以外の非描画領域に対して、洗浄液を吐出することが好ましい。【選択図】図１
2015187030.tif 000002
【特許請求の範囲】
【請求項１】
記録媒体上にインクジェット方式によりインクを吐出して捺染を施す印刷方法であって、
前記記録媒体を搬送ベルトで搬送する搬送工程と、
前記記録媒体上に前記インクを吐出するインク吐出工程と、
前記記録媒体および／または前記搬送ベルト上に、前記搬送ベルト表面を洗浄する洗浄液を、インクジェットヘッドから吐出する洗浄液吐出工程と、を有することを特徴とする印刷方法。
【請求項２】
前記洗浄液吐出工程において、前記記録媒体上の前記インクを吐出する描画領域以外の非描画領域に対して、前記洗浄液を吐出する請求項１に記載の印刷方法。
【請求項３】
前記洗浄液吐出工程において、前記搬送ベルトの前記記録媒体と接触している領域以外の領域に対して、前記洗浄液を吐出する請求項１または２に記載の印刷方法。
【請求項４】
前記洗浄液と前記インクとを前記記録媒体の同じ領域に吐出する際に、
前記洗浄液を先に前記記録媒体上に吐出する請求項１ないし３のいずれか１項に記載の印刷方法。
【請求項５】
前記洗浄液は、水と界面活性剤とを含む請求項１ないし４のいずれか１項に記載の印刷方法。
【請求項６】
記録媒体上にインクジェット方式によりインクを吐出して捺染を施す印刷装置であって、
前記記録媒体を搬送する搬送ベルトと、
前記記録媒体および／または前記搬送ベルト上に、前記搬送ベルト表面を洗浄する洗浄液を吐出するインクジェットヘッドと、を有することを特徴とする印刷装置。
【請求項７】
前記搬送ベルトは、前記記録媒体に対向する側の面が粘着性を有する請求項１ないし６のいずれか１項に記載の印刷装置。
【発明の詳細な説明】
【技術分野】
【０００１】
本発明は、印刷方法および印刷装置に関する。
【背景技術】
【０００２】
ロール状に巻回された布帛等の記録媒体を繰り出して、当該繰り出された記録媒体上に記録ヘッドで印刷（捺染）を施す印刷装置が知られている。
【０００３】
印刷装置は、高品位な印刷を行うために、記録媒体の伸縮を抑制し、記録媒体を搬送ベルトに貼り付けることで、記録媒体の伸縮を抑制しつつ搬送するよう構成されている。
【０００４】
ところが、このような搬送ベルトは、インク、ゴミやケバ等の汚れが付着しやすく、汚れによって、印刷品質が低下するといった問題があった。
【０００５】
このような問題を解決するために、搬送ベルトに付着した汚れを、水と洗浄ブラシで洗浄する技術が知られている（例えば、特許文献１参照）。
【０００６】
しかしながら、従来の印刷技術では、搬送ベルトに付着した汚れを十分に除去することが困難であった。
【先行技術文献】
【特許文献】
【０００７】
【特許文献１】特開平１１−１９２６９４号公報
【発明の概要】
【発明が解決しようとする課題】
【０００８】
本発明の目的は、搬送ベルトの汚れを効果的に除去し、高品質な印刷を行うことができる印刷方法および印刷装置を提供することにある。
【課題を解決するための手段】
【０００９】
このような目的は、下記の本発明により達成される。
［適用例１］
本発明の印刷方法は、記録媒体上にインクジェット方式によりインクを吐出して捺染を施す印刷方法であって、
前記記録媒体を搬送ベルトで搬送する搬送工程と、
前記記録媒体上に前記インクを吐出するインク吐出工程と、
前記記録媒体および／または前記搬送ベルト上に、前記搬送ベルト表面を洗浄する洗浄液を、インクジェットヘッドから吐出する洗浄液吐出工程と、を有することを特徴とする。
これにより、搬送ベルトの汚れを効果的に除去し、高品質な印刷を行うことができる。
【００１０】
［適用例２］
本発明の印刷方法では、前記洗浄液吐出工程において、前記記録媒体上の前記インクを吐出する描画領域以外の非描画領域に対して、前記洗浄液を吐出するのが好ましい。
【００１１】
これにより、インクが滲むのを防止しつつ、搬送ベルトの汚れをより効果的に除去することができる。
【００１２】
［適用例３］
本発明の印刷方法では、前記洗浄液吐出工程において、前記搬送ベルトの前記記録媒体と接触している領域以外の領域に対して、前記洗浄液を吐出するのが好ましい。
【００１３】
これにより、記録媒体からはみ出たインク等の汚れをより確実に除去することができる。
【００１４】
［適用例４］
本発明の印刷方法では、前記洗浄液と前記インクとを前記記録媒体の同じ領域に吐出する際に、
前記洗浄液を先に前記記録媒体上に吐出するのが好ましい。
【００１５】
これにより、インクが滲むのを防止しつつ、搬送ベルトの汚れをより効果的に除去することができる。
【００１６】
［適用例５］
本発明の印刷方法では、前記洗浄液は、水と界面活性剤とを含むのが好ましい。
【００１７】
これにより、搬送ベルトの汚れをより効果的に除去し、さらに高品質な印刷を行うことができる。
【００１８】
［適用例６］
本発明の印刷装置は、記録媒体上にインクジェット方式によりインクを吐出して捺染を施す印刷装置であって、
前記記録媒体を搬送する搬送ベルトと、
前記記録媒体および／または前記搬送ベルト上に、前記搬送ベルト表面を洗浄する洗浄液を吐出するインクジェットヘッドと、を有することを特徴とする。
これにより、種々の記録媒体の皺をより容易に除去することができる。
【００１９】
［適用例７］
本発明の印刷装置では、前記記録媒体に対向する側の面が粘着性を有するのが好ましい。
【００２０】
これにより、記録媒体を簡単な構成で安定して搬送することができる。
【図面の簡単な説明】
【００２１】
【図１】本発明の印刷装置の好適な実施形態を示す概略側面図である。
【発明を実施するための形態】
【００２２】
以下、本発明の印刷方法および印刷装置を添付図面に示す好適な実施形態に基づいて詳細に説明する。
【００２３】
＜印刷装置＞
まず、本発明の印刷装置について説明する。
【００２４】
本発明の印刷装置は、記録媒体上にインクジェット方式によりインクを吐出して捺染を施す装置である。
【００２５】
図１は、本発明の印刷装置の好適な実施形態を示す概略側面図である。なお、以下では、説明の都合上、図１中の紙面奥行き方向を「ｘ軸方向」、左右方向を「ｙ軸方向」、上下方向を「ｚ軸方向」と言う。
【００２６】
図１に示す印刷装置１は、いわゆるリール・ツー・リールの形式で除給材される布帛（原反）に、専用の染料インクを用いてインクジェット方式で文様等を印刷（捺染）するものである。なお、印刷装置１では、布帛である記録媒体Ｗが搬送される方向（水平方向）がｙ軸方向となっており、ｙ軸方向に直交する方向がｘ軸方向となっており、鉛直方向がｚ軸方向となっている。
【００２７】
印刷装置１は、ロール状に巻回された記録媒体Ｗを繰り出して送る繰出部２と、繰り出された記録媒体Ｗを送り経路１１に沿って印刷のために送る装置本体４と、装置本体４の上側に配設され、装置本体４と協働して記録媒体Ｗにインクジェット方式で印刷を行う印刷機構部（記録手段）５と、印刷機構部５により印刷された記録媒体Ｗを、装置本体４の送り方向下流側において巻き取って回収する巻取部６と、これらの各部の作動を制御する制御部（制御手段）１２とを備えている。この印刷装置１では、繰出部２と装置本体４と巻取部６とで、長尺状をなす記録媒体Ｗをその長手方向、すなわち、ｙ軸方向に沿って搬送する搬送機構部（搬送手段）１３が構成されている。
【００２８】
装置本体４は、鋼材を組んで構成した本体用機台４１と、本体用機台４１に支持され、記録媒体Ｗをベルト搬送によりｙ軸方向に間欠送りする媒体送り機構４２とを有している。
【００２９】
印刷機構部５は、インクジェットヘッド５１１を有するキャリッジユニット５１と、キャリッジユニット５１をｘ軸方向に往復動させるヘッド移動機構５２とを有している。
【００３０】
繰出部２は、記録媒体Ｗを繰り出す繰出しユニット２１と、繰り出された記録媒体Ｗの弛みを取る弛取りユニット２２とを有している。
【００３１】
巻取部６は、記録媒体Ｗを巻き取る巻取りユニット６１と、巻取りユニット６１に間紙Ｗ’を供給する間紙ユニット６２と、記録媒体Ｗを巻き取る前に記録媒体Ｗに浸み込んだ染料インクの溶剤（水分）を気化させるヒーターユニット６３とを有し、これらを巻取部用機台６４に搭載して構成されている。
【００３２】
繰出しユニット２１から繰り出された記録媒体Ｗ（布帛）は、弛取りユニット２２により張られるようにして弛みが取られ、媒体送り機構４２に送り込まれる。媒体送り機構４２に送り込まれた記録媒体Ｗは、表面に粘着されるようにしてベルト搬送される。このベルト搬送では、記録媒体Ｗがｙ軸方向に間欠送りされる（副走査）一方、これに同期してキャリッジユニット５１がｘ軸方向に往復動し、インクジェットヘッド５１１からインク吐出が行われる（主走査）。
【００３３】
このようにして、印刷が行われた後、記録媒体Ｗの印刷済み部分（捺染済み部分）は、媒体送り機構４２から巻取部６に送り出される。巻取部６では、媒体送り機構４２から送り出された記録媒体Ｗに、間紙ユニット６２から間紙Ｗ’が連続的に供給され、記録媒体Ｗと間紙Ｗ’とが重なってヒーターユニット６３に送られる。ヒーターユニット６３では、間紙Ｗ’と共に記録媒体Ｗが加熱され、染料インクの溶剤（水分）が気化される。このようにして、乾燥処理された捺染済みの記録媒体Ｗは、間紙Ｗ’と共に巻取りユニット６１に巻き取られる。
【００３４】
繰出しユニット２１は、上記の本体用機台４１に固定された左右（ｘ軸方向）一対のＴ字状フレーム２１１、および一対のＴ字状フレーム２１１間に渡した複数本の棒状フレーム２１２から成る繰出しフレーム２１３と、一対のＴ字状フレーム２１１にｘ軸方向にスライド自在に支持され、Ｘ軸方向に延在する２本の繰出し側ロッドベース２１４と、２本の繰出し側ロッドベース２１４にスライド自在に支持された一対の繰出し軸突起（送出しロール）２１５とを有している。各繰出し軸突起２１５の先端部は円錐台形状に形成されており、一対の繰出し軸突起２１５は、記録媒体Ｗの幅に対応させた相互の幅寄せにより、それぞれの先端部をロール状の記録媒体Ｗの繰出しコアに嵌入させて、記録媒体Ｗを水平に支持している。そして、この支持状態で記録媒体Ｗが媒体送り機構４２（搬送ベルト４２４）側に向かって送り出される。
【００３５】
一対の繰出し軸突起２１５は、モーター駆動の幅移動ユニット２１６により、２本の繰出し側ロッドベース２１４を介して左右（記録媒体Ｗの幅方向）に一体に移動するようになっている。
【００３６】
また、一対の繰出し軸突起２１５の一方には、モーター駆動の回転ユニット２１７が組み込まれており、この回転ユニット２１７により、一対の繰出し軸突起２１５を繰出し回転させて記録媒体Ｗを繰り出すようにしている。さらに、繰出しユニット２１の下方には、繰出しユニット２１から繰り出された記録媒体Ｗの有無を検出する反射型の光センサー２３が設けられている。
【００３７】
本実施形態では、記録媒体Ｗに一定のテンションを与えつつ繰り出すテンションモードと、可能な限りテンションを少なくして繰り出す弛みモードとがあり、記録媒体Ｗ別にモード切替えを行うようにしている。このテンションモードと弛みモードとは、印刷機構部５に設けた操作画面（図示省略）において、ＧＵＩ（Graphical  User  Interface）ボタンにより切替可能となっている。
【００３８】
テンションモードは、伸縮性の低い通常の布帛（記録媒体Ｗ）を対象とするものであり、この場合には、例えばパーソナルコンピューターで構成された制御部１２が、記録媒体Ｗに所要のテンションを付与して第１ローラー２２５に向けて繰り出すように、回転ユニット２１７を制御する。より具体的には、制御部１２は、回転ユニット２１７のモーターのトルク制御により、媒体送り機構４２による記録媒体Ｗの送り動作時には、記録媒体Ｗを繰り出すように回転ユニット２１７を駆動し、媒体送り機構４２による記録媒体Ｗの送り停止時には、記録媒体Ｗを僅かに巻き戻すように回転ユニット２１７を駆動する。これにより、繰出しユニット２１と弛取りユニット２２との間の記録媒体Ｗにテンションが付与された状態で、記録媒体Ｗが送られる。
【００３９】
一方、弛みモードは、例えばストッキング地のように伸縮性の高い布帛（記録媒体Ｗ）を対象とするものであり、この場合には、制御部１２が、繰り出した記録媒体Ｗがいったん下方に弛んでから、弛取りユニット２２に送り込まれるように、回転ユニット２１７を制御する（図１では弛み部分の記録媒体Ｗを破線で示す）。すなわち、制御部１２は、媒体送り機構４２による記録媒体Ｗの送り動作に伴って、記録媒体Ｗの弛み量が少なくなり、繰出しユニット２１の下方に設けられた光センサー２３が記録媒体Ｗの「無」を検出すると、記録媒体Ｗを繰り出すように回転ユニット２１７を正回転駆動させ、これにより弛み量が増加し、光センサー２３が記録媒体Ｗの「有」を検出すると、回転ユニット２１７の駆動を停止させる。この弛み量の制御により、繰出しユニット２１と弛取りユニット２２との間の記録媒体Ｗが適切に弛んだ状態で、記録媒体Ｗが送られる。
【００４０】
弛取りユニット２２は、媒体送り機構４２のサイドフレーム４２２に固定された左右（ｘ軸方向）一対のＬ字状フレーム２２２、および一対のＬ字状フレーム２２２間に渡したロッドフレーム２２３から成る弛取りフレーム２２１と、一対のＬ字状フレーム２２２に両持ちで回転自在に支持されたローラー群２２４とを有している。ローラー群２２４は、繰出しユニット２１から送り込まれた記録媒体Ｗの送り経路１１を複数個所で屈曲させるべく、送り方向の上流側から第１ローラー２２５、第２ローラー２２６および第３ローラー２２７の順で配設されており、それぞれ摩擦係数の高いローラーで構成されている。
【００４１】
繰出しユニット２１から繰り出された記録媒体Ｗは、第１ローラー２２５でＵターンするようにして第２ローラー２２６および第３ローラー２２７に達する。第２ローラー２２６および第３ローラー２２７は、上下に近接して配設されており、両端部を一体に形成した一対の軸受部２４に回転自在に支持されている。また、各軸受部２４は、Ｌ字状フレーム２２２に回動自在に支持され、一方の軸受部２４には、第２ローラー２２６および第３ローラー２２７の上下の配置角度を調整する角度調整ユニット２５が組み込まれている。
【００４２】
第２ローラー２２６および第３ローラー２２７を通過する記録媒体Ｗは、「Ｓ」字状に経路変更されるが、記録媒体Ｗの種別に応じてこの「Ｓ」字カーブを変形調整し、記録媒体Ｗ別に適度なテンションを付与できるようにしている。これにより、記録媒体Ｗは、部分的な弛みや皺が解消されて、媒体送り機構４２に送り込まれる。なお、第１ローラー２２５、第２ローラー２２６、第３ローラー２２７は、記録媒体Ｗに中心から外側に向かう分力が作用するよう、中高の形状とすることが好ましい。
【００４３】
媒体送り機構４２は、本体用機台４１上に載置固定した左右（ｘ軸方向）一対のサイドフレーム４２２を有する本体フレーム４２１と、一対のサイドフレーム４２２に支持され、無端の搬送ベルト（無端ベルト）４２４を有するベルト搬送ユニット４２３と、ベルト搬送ユニット４２３の下側に配設したベルト拭き取りユニット４２５とを備えている。また、媒体送り機構４２は、上流側においてベルト搬送ユニット４２３に上側から臨む押圧ローラー４２６と、下流側においてベルト搬送ユニット４２３に対し斜め上方に配設された分離ローラー４２７とを備えている。
【００４４】
本体フレーム４２１は、厚手の板材で構成された一対のサイドフレーム４２２と、一対のサイドフレーム４２２を連結する前後（ｙ軸方向）一対の連結フレーム４２８とを有しており、一対のサイドフレーム４２２の部分で本体用機台４１に載置固定されている。また、本体フレーム４２１は、一対の連結フレーム４２８間に位置して、一対のサイドフレーム４２２を連結すると共に、上記のベルト拭き取りユニット４２５を支持する支持フレーム４２９を有している。各サイドフレーム４２２には、ベルト搬送ユニット４２３を取り付けるための切欠き部や、印刷機構部５を取り付けるための切欠き部が適宜設けられ、またベルト拭き取りユニット４２５を点検するための開口部が形成されている。
【００４５】
ベルト搬送ユニット４２３は、送り方向の下流側に位置する駆動プーリー４３１と、送り方向の上流側に位置する従動プーリー４３２と、駆動プーリー４３１および従動プーリー４３２間に架け渡した無端の搬送ベルト４２４とを有している。また、ベルト搬送ユニット４２３は、従動プーリー４３２の近傍に位置して、搬送ベルト４２４の走行をガイドする第１ガイドプレート４３３と、印刷機構部５の直下に位置して、搬送ベルト４２４の走行をガイドする第２ガイドプレート４３４と、上記の支持フレーム４２９の直上に位置して、裏側に回り込んだ搬送ベルト４２４の走行をガイドする第３ガイドプレート４３５とを有している。
【００４６】
第１ガイドプレート４３３および第２ガイドプレート４３４は、相互の表面が面一（同一水平面）となるように配設した状態で、一対のサイドフレーム４２２間に架け渡されており、本体フレーム４２１の一部としても機能している。また、第１ガイドプレート４３３は、従動プーリー４３２から離れた直後の（上側の）搬送ベルト４２４が水平に走行するようにガイドし、第２ガイドプレート４３４は、印刷領域に位置する搬送ベルト４２４の上側に、弛みが生じないようにガイドしている。従って、第２ガイドプレート４３４の直上に位置する搬送ベルト４２４は、プラテンとして機能する。さらに、第３ガイドプレート４３５は、ベルト拭き取りユニット４２５により突き上げ力を受ける搬送ベルト４２４を、押さえるようにガイドしている。なお、駆動プーリー４３１から離れた直後の（下側の）搬送ベルト４２４についても、水平に走行する。つまり、搬送ベルト４２４は、ベルト拭き取りユニット４２５により拭き取られる位置において、水平に走行する。
【００４７】
駆動プーリー４３１および従動プーリー４３２は、専用の軸受を介して、一対のサイドフレーム４２２に回転自在に支持されており、駆動プーリー４３１の一方の軸端には、搬送ベルト４２４を間欠で走行させる搬送モーター（モーター）４３６が連結されている。
【００４８】
搬送モーター４３６には、エンコーダー４３６ａが内蔵されている。このエンコーダー４３６ａで検出される回転量を調整することにより、搬送ベルト４２４を確実に間欠送りすることができる。また、検出された回転量に基づいて、すなわち、搬送モーター４３６が回転しているか否かに基づいて、記録媒体Ｗが搬送中であることを確実に検出することもできる。
【００４９】
搬送ベルト４２４は、外周面（固定部）４２４ａ、すなわち、記録媒体Ｗに対向する側の面が粘着性を有する（粘着処理）幅広の特殊なベルトで構成され、当該外周面４２４ａが記録媒体Ｗの長手方向の途中を固定する固定部となる。そして、記録媒体Ｗは、外周面４２４ａ（固定部）での粘着により固定状態となり、その固定状態で搬送ベルト４２４が駆動することにより搬送される。これにより、記録媒体Ｗは、印刷機構部５の直下において、捲れ等を生ずることなく間欠送りされつつ、当該印刷機構部５から吐出されたインクによって記録が行なわれる。
【００５０】
従動プーリー４３２の上側には、弛取りユニット２２から送り込まれた記録媒体Ｗを、搬送ベルト４２４に貼着する押圧ローラー４２６が配設されている。押圧ローラー４２６は、サイドフレーム４２２に回動自在に支持された一対の支持アーム４３７の先端部に、回転自在に支持されている。また、押圧ローラー４２６は、所定の弾力性と自重を有しており、その自重により、従動プーリー４３２の直上において記録媒体Ｗを搬送ベルト４２４に押し付ける。すなわち、押圧ローラー４２６と従動プーリー４３２とは、搬送ベルト４２４を挟んでニップローラーとして機能し、走行する搬送ベルト４２４に記録媒体Ｗを連続的に貼着する。なお、各支持アーム４３７の中間位置には、支持アーム４３７を回動させるためのエアーシリンダー４３８が連結されており、一対のエアーシリンダー４３８を同期駆動させることにより、押圧ローラー４２６が搬送ベルト４２４から引き離される。
【００５１】
一方、駆動プーリー４３１の斜め上方には、印刷後の記録媒体Ｗを搬送ベルト４２４から引き剥がして、巻取部６に送り込む分離ローラー４２７が配設されている。分離ローラー４２７は、サイドフレーム４２２から延びる一対のサブフレーム４３９に回動自在に支持されている。この場合、分離ローラー４２７は、駆動プーリー４３１を周回して裏側に回り込む搬送ベルト４２４から記録媒体Ｗを相対的に引き剥がすものであるが、実際の動作では、搬送ベルト４２４からの引き剥がし力は、記録媒体Ｗの種別で異なるものとなる。このため、記録媒体Ｗの種別により、搬送ベルト４２４が周回を開始する位置で剥がれ始めるものと、ある程度周回が進んだ位置で剥がれ始めるものとがある。但し、引き剥がしのポイントが裏側に回り込むと、記録媒体Ｗが搬送ベルト４２４に巻き込まれるおそれが生ずる。
【００５２】
そこで、本実施形態では、搬送ベルト４２４から分離ローラー４２７に送られてゆく記録媒体Ｗの角度を位置検出し、この位置検出の検出結果に基づいて巻取りユニット６１を巻取り駆動し、引き剥がしのポイントが搬送ベルト４２４の裏側に回り込むのを防止している。
【００５３】
搬送ベルト４２４には、インク、ゴミやケバ等の汚れが付着するため、搬送ベルト４２４の定期的な洗浄を実施する。
【００５４】
本実施形態では、記録媒体Ｗおよび／または搬送ベルト４２４上に、インクジェットヘッド５１１より洗浄液が吐出される。吐出された洗浄液は、汚れとともにベルト拭き取りユニット４２５により拭き取られる。なお、洗浄液については後に詳述する。
【００５５】
ベルト拭き取りユニット４２５は、搬送ベルト４２４の下側において支持フレーム４２９に支持され、搬送ベルト４２４を横断するようにｘ軸方向に延在している。なお、最終的に搬送ベルト４２４に残った洗浄液は、ウエスで拭き取るようにしている。
【００５６】
印刷機構部５は、送り経路１１（ベルト搬送ユニット４２３）を跨ぐようにｘ軸方向に延在するプリンターフレーム５３と、プリンターフレーム５３に支持されたヘッド移動機構５２と、ヘッド移動機構５２に搭載されてｘ軸方向に往復動するキャリッジユニット５１と、これらを覆うプリンターカバー５４とを備えている。また、特に図示しないが、印刷機構部５には、インクジェットヘッド５１１を保守するキャップユニットやクリーニングユニットが搭載されている。なお、印刷機構部５における、いわゆるペーパーギャップ（ワークギャップ）は、各種の記録媒体Ｗにおいてその厚みに幅があるため、装置本体４（媒体送り機構４２）に対し、印刷機構部５全体を昇降させることにより調整される。
【００５７】
プリンターフレーム５３は、ｘ軸方向に延在する板金製の梁状フレーム５３１と、梁状フレーム５３１を両端部で支持する板金製の一対の立設フレーム５３２とを有し、一対の立設フレーム５３２の部分で、上記のサイドフレーム４２２に支持されている。なお、プリンターカバー５４は、このプリンターフレーム５３に取り付けられている。
【００５８】
キャリッジユニット５１は、カラープリント用の複数色のノズル列と洗浄液用のノズル列とを有するインクジェットヘッド５１１と、ノズル面が下向きになるようにインクジェットヘッド５１１を保持するキャリッジ５１２とを有している。なお、各ノズル列に供給される各色の染料インクおよび洗浄液は、いわゆるオフキャリッジのインクタンクから供給される。
【００５９】
ヘッド移動機構５２は、キャリッジユニット５１を片持ちでｘ軸方向にスライド自在に支持するキャリッジガイド５５と、キャリッジガイド５５を往復動させるベルト伝導機構５６と、ベルト伝導機構５６を駆動させるキャリッジモーター５７とを有している。キャリッジガイド５５は、下側のメインガイド５５１と上側のサブガイド５５２とから成り、メインガイド５５１およびサブガイド５５２は、その両端部で上記一対の立設フレーム５３２に支持されている。ベルト伝導機構５６は、タイミングベルト５６１を有し、タイミングベルト５６１の一部がキャリッジユニット５１（キャリッジ５１２）に固定されている。
【００６０】
キャリッジモーター５７によりタイミングベルト５６１を正逆走行させると、キャリッジユニット５１が、キャリッジガイド５５に案内されてｘ軸方向に往復動する。キャリッジガイド５５の移動位置は、リニアエンコーダーにより検出され、この検出結果と印刷データに基づいて、インクジェットヘッド５１１から各色の染料インクが選択的に吐出される。これにより、記録媒体Ｗへの印刷（捺染）が行われる。
【００６１】
巻取部６は、ｙ軸方向において本体用機台４１に着脱自在に連結した巻取部用機台６４と、巻取部用機台６４の上部に支持されたヒーターユニット６３と、巻取部用機台６４の下部に支持された巻取りユニット６１および間紙ユニット６２とを備えている。捺染された記録媒体Ｗは、インクが裏移りしない厚手の記録媒体Ｗをそのまま巻き取る方式と、インクが裏移りしやすい薄手の記録媒体Ｗに間紙Ｗ’を重ねて巻き取る方式があり、本実施形態の巻取部６は、いずれの方式にも対応可能な設計となっている。以下、後者の方式を採用した場合について説明する。
【００６２】
巻取部用機台６４は、上水平フレーム部６４１と、下水平フレーム部６４２と、上水平フレーム部６４１および下水平フレーム部６４２がそれぞれ接続された鉛直フレーム部６４３とを有し、アルミニウムの押出し形材を縦横に組んで構成されている。そして、鉛直フレーム部６４３の部分で、本体用機台４１に着脱自在に連結されている。
【００６３】
ヒーターユニット６３は、円弧状の放熱面６３１ａを有する放熱プレート６３１と、放熱プレート６３１に内貼りしたヒーター６３２と、放熱プレート６３１の内側の左右両端部に設けられ、象の鼻の形状を有する左右一対の支持プレート６３３とを備えている。また、ヒーターユニット６３（支持プレート６３３）は、その上半部を上水平フレーム部６４１に載置した状態で、上水平フレーム部６４１に設けた左右の固定部材６５により、上水平フレーム部６４１に取り付けられている。放熱プレート６３１の上端部は、分離ローラー４２７に近接し且つ分離ローラー４２７より僅かに低い位置に配設されている。また、放熱プレート６３１の上端部は、この部分に下方から導入される間紙Ｗ’を経路変更するために、下向きの円弧状に折曲げ形成されている。
【００６４】
分離ローラー４２７を通過した記録媒体Ｗは、放熱プレート６３１の上端部で下方から送られてくる間紙Ｗ’と重なり、放熱プレート６３１の円弧状の外面（放熱面６３１ａ）に案内されて下方に送られる。放熱面６３１ａに摺接しながら上下方向に送られてゆく記録媒体Ｗおよび間紙Ｗ’は、ヒーター６３２により連続的に加熱される。この加熱により、記録媒体Ｗに浸み込んだ染料インクの溶剤（水分）が気化し、布帛に染料が定着する。
【００６５】
間紙ユニット６２は、ロール状の間紙Ｗ’を繰り出す間紙ローラー６２１と、繰り出された間紙Ｗ’を放熱プレート６３１の上端部に向かって経路変更するガイドバー６２２とを有している。ガイドバー６２２は、下水平フレーム部６４２と鉛直フレーム部６４３とを連結する斜材の部分に固定されている。また、間紙ローラー６２１は、制動機構を組み込んだ一対の軸受ユニット６２３を介して、下水平フレーム部６４２の前部に支持されている。この一対の軸受ユニット６２３により、間紙Ｗ’は、弛みを生ずることなく繰り出される。
【００６６】
巻取りユニット６１は、上記の繰出しユニット２１と同様に、下水平フレーム部６４２の前後中間部に支持され、ｘ軸方向に延在する２本の巻取り側ロッドベース６６１と、２本の巻取り側ロッドベース６６１にスライド自在に支持された一対の巻取り軸突起６６２とを有している。また、巻取りユニット６１は、放熱プレート６３１の下端部と一対の巻取り軸突起６６２との間の送り経路１１に位置して、記録媒体Ｗおよび間紙Ｗ’に張りを与えるテンションローラー６６３を有している。
【００６７】
各巻取り軸突起６６２の先端部は、円錐台形状に形成されており、一対の巻取り軸突起６６２は、記録媒体Ｗの幅に対応させた相互の幅寄せにより、それぞれの先端部を、記録媒体Ｗを巻き取る巻取りコアに嵌入させて、これを水平に支持している。一対の巻取り軸突起６６２の一方には、モーター駆動の回転ユニット６６４が組み込まれており、一対の巻取り軸突起６６２を巻取り回転させて、記録媒体Ｗおよび間紙Ｗ’を同時に巻き取るようにしている。そして、回転ユニット６６４は、前述のように、分離ローラー４２７の近傍において、分離ローラー４２７に送られてゆく記録媒体Ｗの角度検出に基づいて、制御される。
【００６８】
テンションローラー６６３は、下水平フレーム部６４２の後部に回動自在に支持された一対の回動アーム６６５の先端部に、回転自在に支持されている。そして、テンションローラー６６３は、巻取りコアに巻き取られる記録媒体Ｗおよび間紙Ｗ’の間紙Ｗ’側に転接し、その自重により記録媒体Ｗおよび間紙Ｗ’を下方に回動付勢している。これにより、記録媒体Ｗおよび間紙Ｗ’に適度なテンションが付与され、記録媒体Ｗおよび間紙Ｗ’は、巻き締めるようにして巻取りコアに巻き取られる。
【００６９】
制御部１２は、搬送機構部１３、印刷機構部５等と電気的に接続されており、これらの作動を制御する機能を有している。
【００７０】
＜印刷方法＞
次に、本発明の印刷方法について説明する。
【００７１】
以下、上述した印刷装置１を用いた場合を具体例に挙げて説明する。
本実施形態に係る印刷方法は、記録媒体Ｗ上にインクジェット方式によりインクを吐出して捺染を施す印刷方法であって、記録媒体Ｗを搬送する搬送工程と、記録媒体Ｗ上にインクを吐出するインク吐出工程と、記録媒体Ｗおよび／または搬送ベルト４２４上に洗浄液を吐出する洗浄液吐出工程と、を有している。
【００７２】
まず、記録媒体Ｗを搬送ベルト４２４で印刷機構部５に搬送する。
次に、搬送した記録媒体Ｗにインクジェットヘッド５１１からインクを吐出する（インク吐出工程）。
【００７３】
一方、インク吐出工程と並行して、記録媒体Ｗおよび／または搬送ベルト４２４上に、搬送ベルト４２４表面を洗浄する洗浄液を、インクジェットヘッド５１１から吐出する（洗浄液吐出工程）。このような工程を有することにより、搬送ベルト４２４の汚れを効果的に除去し、高品質な印刷を行うことができる。
【００７４】
本工程において、洗浄液は、記録媒体Ｗおよび搬送ベルト４２４のいずれにも吐出することができるが、記録媒体Ｗ上に洗浄液を吐出する場合、記録媒体Ｗ上のインクを吐出する描画領域以外の非描画領域に対して、洗浄液を吐出するのが好ましい。これにより、インクが滲むのを防止しつつ、搬送ベルト４２４の汚れをより効果的に除去することができる。また、非描画領域に洗浄液を吐出することにより、描画領域の搬送ベルト４２４からの剥がれやすさと、非描画領域の搬送ベルト４２４からの剥がれやすさを比較的近いものとすることができる。
【００７５】
また、本工程において、搬送ベルト４２４の記録媒体Ｗと接触している領域以外の領域に対して、前記洗浄液を吐出するのが好ましい。これにより、記録媒体からはみ出たインク等の汚れをより確実に除去することができる。
【００７６】
また、本工程において洗浄液とインクとを記録媒体Ｗの同じ領域に吐出する際に、洗浄液を先に記録媒体上に吐出するのが好ましい。これにより、インクが滲むのを防止しつつ、搬送ベルト４２４の汚れをより効果的に除去することができる。
【００７７】
洗浄液としては、インク等の汚れを除去することができるものであれば、特に限定されないが、水と界面活性剤とを含むのが好ましい。これにより、搬送ベルト４２４の汚れをより効果的に除去し、さらに高品質な印刷を行うことができる。
【００７８】
界面活性剤としては、特に限定されないが、ノニオン系界面活性剤を用いるのが好ましい。
【００７９】
ノニオン系界面活性剤としては、以下に限定されないが、例えば、アセチレングリコール系界面活性剤、シリコン系界面活性剤、ポリオキシエチレンアルキルエーテル系、ポリオキシプロピレンアルキルエーテル系、多環フェニルエーテル系、ソルビタン誘導体、およびフッ素系の界面活性剤が挙げられる。
【００８０】
また、洗浄液には、粘度を調整する粘度調整剤が含まれていてもよい。
粘度調整剤としては、例えば、例えば、グリセリン、エチレングリコール、ジエチレングリコール、トリエチレングリコール、テトラエチレングリコール、ポリエチレングリコール、プロピレングリコール等のグリコール類、１，３−プロパンジオール等が挙げられる。
【００８１】
また、洗浄液には、上記成分の他、防腐防黴剤、ｐＨ調整剤、キレート試薬、防錆剤、紫外線吸収剤、消泡剤等が含まれていてもよい。
【００８２】
以上、本発明の印刷方法および印刷装置を図示の実施形態について説明したが、本発明は、これに限定されるものではなく、印刷装置を構成する各部は、同様の機能を発揮し得る任意の構成のものと置換することができる。また、任意の構成物が付加されていてもよい。
【００８３】
また、前述した実施形態では、洗浄液とインクとが同じインクジェットヘッドから吐出されるものとして説明したが、これに限定されず、別のインクジェットヘッドから吐出してもよい。
【符号の説明】
【００８４】
１……印刷装置
２……繰出部
２１……繰出しユニット
２１１……Ｔ字状フレーム
２１２……棒状フレーム
２１３……繰出しフレーム
２１４……繰出し側ロッドベース
２１５……繰出し軸突起（送出しロール）
２１６……幅移動ユニット
２１７……回転ユニット
２１８……フランジ部
２２……弛取りユニット
２２１……弛取りフレーム
２２２……Ｌ字状フレーム
２２３……ロッドフレーム
２２４……ローラー群
２２５……第１ローラー
２２６……第２ローラー
２２７……第３ローラー
２３……光センサー
２４……軸受部
２５……角度調整ユニット
２６……調整機構
２７……壁部
２７１……欠損部
４……装置本体
４１……本体用機台
４２……媒体送り機構
４２１……本体フレーム
４２２……サイドフレーム
４２３……ベルト搬送ユニット
４２４……搬送ベルト（無端ベルト）
４２４ａ……外周面（表面）
４２５……ベルト洗浄ユニット
４２６……押圧ローラー
４２７……分離ローラー
４２８……連結フレーム
４２９……支持フレーム
４３１……駆動プーリー
４３２……従動プーリー
４３３……第１ガイドプレート
４３４……第２ガイドプレート
４３５……第３ガイドプレート
４３６……搬送モーター（モーター）
４３６ａ……エンコーダー
４３７……支持アーム
４３８……エアーシリンダー
４３９……サブフレーム
５……印刷機構部（記録手段）
５１……キャリッジユニット
５１１……インクジェットヘッド
５１２……キャリッジ
５２……ヘッド移動機構
５３……プリンターフレーム
５３１……梁状フレーム
５３２……立設フレーム
５４……プリンターカバー
５５……キャリッジガイド
５５１……メインガイド
５５２……サブガイド
５６……ベルト伝導機構
５６１……タイミングベルト
５７……キャリッジモーター
６……巻取部
６１……巻取りユニット
６２……間紙ユニット
６２１……間紙ローラー
６２２……ガイドバー
６２３……軸受ユニット
６３……ヒーターユニット
６３１……放熱プレート
６３１ａ……放熱面
６３２……ヒーター
６３３……支持プレート
６４……巻取部用機台
６４１……上水平フレーム部
６４２……下水平フレーム部
６４３……鉛直フレーム部
６５……固定部材
６６１……巻取り側ロッドベース
６６２……巻取り軸突起
６６３……テンションローラー
６６４……回転ユニット
６６５……回動アーム
１１……送り経路
１２……制御部（制御手段）
１３……搬送機構部（搬送手段）
Ｗ……記録媒体
Ｗ’……間紙
【図１】
2015187030.tif 000003